(57)【要約】【課題】本発明は、ファクシミリ装置に関し、受信時刻印字位置を画像領域の外側にするか内側にするかを選択するスイッチを設けることにより、受信時刻印字位置を画像領域の外側か内側かをユーザが選択することを可能として、利便性の高いファクシミリ装置を提供することを目的とする。【解決手段】受信時刻印字位置設定スイッチ２１は、画情報を受信した時刻を出力原稿に印字する際、画像領域の外側に印字するか内側に印字するかを選択するもので、ＣＰＵ１１は、プロッタ１９に画情報を記録出力する際、受信時刻印字位置設定スイッチ２１を参照し、受信時刻を印字する領域を決定する。【選択図】図１
2006191691.tif 000002
【特許請求の範囲】
【請求項１】
画情報を受信した時刻を出力原稿に印字する受信時刻印字手段と、
受信時刻印字位置を画像領域の外側にするか内側にするかを選択する受信時刻印字位置設定手段と、
を設けたことを特徴とするファクシミリ装置。
【請求項２】
受信時刻印字位置が画像領域の外側に選択されていても、画像領域の内側に印字すれば出力原稿を分割する必要が無くなる場合は、受信時刻印字位置を内側に変更することを許可するか否かを選択する受信時刻印字位置自動変更許可手段を設けたことを特徴とする請求項１に記載のファクシミリ装置。
【請求項３】
受信時刻印字位置が画像領域の内側に選択されていても、画像領域の外側に受信時刻を印字する領域がある場合は、受信時刻印字位置を外側に変更することを許可するか否かを選択する受信時刻印字位置自動変更許可手段を設けたことを特徴とする請求項１に記載のファクシミリ装置。
【発明の詳細な説明】
【技術分野】
【０００１】
本発明は、ファクシミリ装置に関し、特に、画情報を受信した時刻を出力原稿に印字することが可能なファクシミリ装置に関する。
【背景技術】
【０００２】
従来から、画情報を受信した時刻を出力原稿に印字するファクシミリ装置が知られており、この種のファクシミリ装置としては、受信時刻を印字する位置は固定であり、その位置は大別して画情報を記録出力する領域（画像領域）の内側か外側になる。
【発明の開示】
【発明が解決しようとする課題】
【０００３】
しかしながら、このような従来のファクシミリ装置にあっては、受信時刻を印字する位置が固定であるため、印字位置が画像領域の内側の場合、画像に受信時刻が重なって印字され画情報が欠落してしまうという問題があった。また、印字位置が画像領域の外側の場合、画情報が記録紙１枚に収まる限界の長さであると出力原稿が分割されてしまうという問題があった。
【０００４】
そこで、本発明は、受信時刻印字位置を画像領域の外側にするか内側にするかを選択するスイッチを設けることにより、受信時刻印字位置を画像領域の外側か内側かをユーザが選択することを可能として、利便性の高いファクシミリ装置を提供することを目的とする。
【課題を解決するための手段】
【０００５】
上記目的達成のため、請求項１に記載の発明は、画情報を受信した時刻を出力原稿に印字する受信時刻印字手段と、受信時刻印字位置を画像領域の外側にするか内側にするかを選択する受信時刻印字位置設定手段とを設けたことを特徴とするものである。
【０００６】
この請求項１に記載の発明では、受信時刻印字位置を画像領域の外側にするか内側にするかが選択される。したがって、選択された受信時刻印字位置に受信時刻が印字される。
【０００７】
請求項２に記載の発明は、請求項１に記載の発明の構成に加え、受信時刻印字位置が画像領域の外側に選択されていても、画像領域の内側に印字すれば出力原稿を分割する必要が無くなる場合は、受信時刻印字位置を内側に変更することを許可するか否かを選択する受信時刻印字位置自動変更許可手段を設けたことを特徴とするものである。
【０００８】
この請求項２に記載の発明では、画像領域の内側に印字すれば出力原稿を分割する必要が無くなる場合に、受信時刻印字位置を変更するか否かが選択される。したがって、選択された処理方法により受信時刻印字位置が決定される。
【０００９】
請求項３に記載の発明は、請求項１に記載の発明の構成に加え、受信時刻印字位置が画像領域の内側に選択されていても、画像領域の外側に受信時刻を印字する領域がある場合は、受信時刻印字位置を外側に変更することを許可するか否かを選択する受信時刻印字位置自動変更許可手段を設けたことを特徴とするものである。
【００１０】
この請求項３に記載の発明では、画像領域の外側に受信時刻を印字する領域がある場合に、受信時刻印字位置を変更するか否かが選択される。したがって、選択された処理方法により受信時刻印字位置が決定される。
【発明の効果】
【００１１】
請求項１に記載の発明によれば、受信時刻印字位置設定手段により受信時刻印字位置を画像領域の内側か外側かに選択することができるので、画像に受信時刻を重ねず画情報の欠落を防ぐことと、画情報が記録紙１枚に収まる限界の長さでも出力原稿が分割されることを防ぐこと、を選択することができる。したがって、ファクシミリ装置の利便性を向上させることができる。
【００１２】
請求項２に記載の発明によれば、受信時刻印字位置自動変更許可手段により、受信時刻印字位置を画情報の内側に印字すれば出力原稿を分割する必要が無くなる場合は、自動的に受信時刻印字位置を画像領域の内側に変更するので、画情報が記録紙１枚に収まる限界の長さでも出力原稿が分割されることを防ぐことと、画像に受信時刻が重ならず画情報の欠落を防ぐこと、を選択することができる。したがって、ファクシミリ装置の利便性を向上させることができる。
【００１３】
請求項３に記載の発明によれば、受信時刻印字位置自動変更許可手段により、画像領域の外側に受信時刻を印字する領域がある場合は、自動的に受信時刻印字位置を画像領域の外側にするので、受信した画像の長さが記録紙に対して十分に短い場合は、画像に受信時刻が重ならないため、画情報の欠落を防ぐことができる。したがって、ファクシミリ装置の利便性を向上させることができる。
【発明を実施するための最良の形態】
【００１４】
以下、本発明を図面に基づいて説明する。
【００１５】
図１〜図３は、本発明に係るファクシミリ装置の第１実施形態を示す図である。
【００１６】
図１において、ファクシミリ装置１０は、ＣＰＵ（Central Processing Unit）１１、ＲＯＭ（Read Only Memory）１２、ＲＡＭ（Random Access Memory）１３、キャラクタジェネレータ１４、通信制御部１５、符号化復号化部１６、画像メモリ１７、スキャナ１８、プロッタ１９、操作表示部２０、受信時刻印字位置設定スイッチ２１がバス３０を介して接続されている。
【００１７】
ＣＰＵ１１は、ＲＯＭ１２内に格納されているプログラムに従って、装置各部を制御してファクシミリ装置の所定の動作を実行するものである。
【００１８】
ＲＡＭ１３は、装置各部の駆動条件や管理データ等の各種情報を記憶するとともに動作する上で必要なデータを記憶するものである。
【００１９】
キャラクタジェネレータ１４は、キャラクタフォントを持って、キャラクタのデータから印字する画素を発生させるものである。
【００２０】
通信制御部１５は、ＰＳＴＮ（Public Switched Telephone Network）に接続され、回線の捕捉、送信先電話番号である選択信号の送出、着呼の検出などにより、所定の送信動作および受信動作を行なうものである。
【００２１】
符号化復号化部１６は、読み取った送信する画像データを符号化したり、受信した圧縮された画像データの復号化を行なうものである。
【００２２】
画像メモリ１７は、スキャナ１８により読み取られ符号化復号化部１６により圧縮された画像データや通信制御部１５により受信された圧縮状態の画像データを蓄積するものである。
【００２３】
スキャナ１８は、送信する原稿の画像を読み取って画像データに変換するものである。
【００２４】
プロッタ１９は、帯電部、現像部、定着部、感光体、給紙部などから構成され、画像データを用紙に記録出力するものである。
【００２５】
操作表示部２０は、装置の状態や、操作ガイダンスを表示するとともに、装置に対する各種操作を行なうものである。
【００２６】
受信時刻印字位置設定スイッチ２１は、後述する画情報を受信した時刻を出力原稿に印字する際、画像領域の外側に印字するか内側に印字するかを選択するものである。したがって、この受信時刻印字位置設定スイッチ２１は、受信時刻印字位置設定手段を構成する。
【００２７】
このファクシミリ装置１０は、受信時刻を印字するように設定されている場合は、画情報を受信した時刻を出力原稿に印字するようになっており、その印字位置は、例えば図２に示すように、記録紙４０の画像が印字される領域（画像領域、図中矢印Ａの間の領域）の内側の領域Ｒ１に画像に重ねて（領域Ｒ１分の画情報を削除してそこに）印字することと、画像領域の外側の領域Ｒ２に印字することを選択できるようになっている。
【００２８】
具体的には、ＣＰＵ１１は、通信制御部１５により受信した画情報を一旦画像メモリ１７に蓄積するとともに、現在時刻をその画情報の受信時刻として画情報とともに蓄積する。
【００２９】
その後、ＣＰＵ１１は、プロッタ１９が記録出力可能な状態であれば、蓄積している画情報を符号化復号化部１６により復号し、受信時刻を印字するように設定されている場合は、図３のフローチャートに示すような処理により受信時刻の印字位置を決定する。
【００３０】
すなわち、受信時刻印字位置設定スイッチ２１を参照し（Ｓ１１）、スイッチの設定状態を判定する（Ｓ１２）、スイッチの設定が画像領域の内側であれば受信時刻印字位置を画像領域の内側とし（Ｓ１３）、画情報とともに蓄積している受信時刻をキャラクタジェネレータ１４により受信時刻のキャラクタデータに対応した画素情報に変換し、その画素データを復号した画情報の予め設定された領域（例えば図２の領域Ｒ１）の画情報に代えて挿入し、できた画情報をプロッタ１９により記録紙に記録出力する。
【００３１】
スイッチの設定が画像領域の外側であれば受信時刻印字位置を画像領域の外側とし（Ｓ１４）、画情報とともに蓄積している受信時刻をキャラクタジェネレータ１４により受信時刻のキャラクタデータに対応した画素情報に変換し、その画素データを復号した画情報の予め設定された領域（例えば図２の領域Ｒ２）に追加し、できた画情報をプロッタ１９により記録紙に記録出力する。
【００３２】
このような処理により、ＣＰＵ１１は受信時刻印字手段として機能する。
【００３３】
このように本実施形態においては、受信時刻印字位置設定スイッチ２１により受信時刻印字位置が選択されるため、画像領域の外側に受信時刻を印字すると設定した場合、画像に受信時刻が重ならないため、画情報の欠落を防ぐことができる。一方、画像領域の内側に受信時刻を印字すると設定した場合、画像の外側に受信時刻を印字する領域を確保する必要がないため、画情報が記録紙１枚に収まる限界の長さであっても、出力原稿が分割されることを防ぐことができる。
【００３４】
なお、本実施形態においては、受信時刻印字位置設定スイッチ２１の設定を参照して受信時刻の印字位置を決定したが、これに限定されるものではなく、例えば、操作表示部２０からの入力によりＲＡＭ１３内に設定された受信時刻印字位置を参照してもかまわない。
【００３５】
また、本実施形態においては、受信時刻印字位置を出力原稿の下側としたが、これに限定されるものではなく、例えば、出力原稿の上側としてもかまわない。
【００３６】
図４、図５は、本発明に係るファクシミリ装置の第２実施形態を示す図である。なお、本実施形態は、上述第１実施形態と略同様に構成されているので、同様な構成には同一の符号を付して特徴部分のみ説明する。
【００３７】
ファクシミリ装置１０は、受信時刻印字位置自動変更許可スイッチ２２を備え、この受信時刻印字位置自動変更許可スイッチ２２は、受信時刻印字位置設定スイッチ２１により受信時刻印字位置が画像領域の外側に指定してあっても、受信時刻を画情報の内側に印字すれば出力原稿を分割する必要が無くなる場合は、自動的に受信時刻印字位置を画像領域の内側にすることを設定するものである。したがって、この受信時刻印字位置自動変更許可スイッチ２２は、受信時刻印字位置自動変更許可手段を構成する。
【００３８】
このファクシミリ装置１０のＣＰＵ１１は、上述した実施形態と同様に、画情報を受信・蓄積し、蓄積した画情報をプロッタ１９に記録出力する際、受信時刻を印字するように設定されている場合は、受信時刻印字位置設定スイッチ２１を参照して受信時刻印字位置を決定する。
【００３９】
受信時刻印字位置が画像領域の外側である場合、ＣＰＵ１１は、図５のフローチャートに示すように、まず復号した画情報のメモリ使用量から受信時刻印字領域を画像領域の外側に確保したら出力原稿が分割されそうかを判定し（例えば、予め設定したメモリ使用量を超えていたら出力原稿が分割されると判断する）（Ｓ２１）、分割出力にならなければ受信時刻印字位置は外側とする。
【００４０】
出力原稿が分割されそうな場合は、受信時刻印字位置自動変更許可スイッチ２２を参照し、受信時刻印字位置を変更することが許可されているかを判定し（Ｓ２２）、許可されていなければ受信時刻印字位置は外側とする。
【００４１】
受信時刻印字位置を変更することが許可されていれば、受信時刻印字位置を画像領域の内側に変更し（Ｓ２３）、受信時刻を画像領域の内側に印字する。
【００４２】
このように本実施形態においては、受信時刻印字位置自動変更許可スイッチ２２により受信時刻印字位置の自動変更が許可されるため、受信時刻印字位置を変更可能とする場合、画像領域の外側に、受信時刻印字位置を印字する領域を確保する必要が無いため、画情報が記録紙１枚に収まる限界の長さであっても、出力原稿が分割されることを防ぐことができる。一方、受信時刻印字位置を変更可能としない場合、画像に受信時刻が重ならないため、画情報の欠落を防ぐことができる。
【００４３】
なお、本実施形態においては、受信時刻印字位置自動変更許可スイッチ２２の設定を参照して受信時刻の印字位置を変更するかを決定したが、これに限定されるものではなく、例えば、操作表示部２０からの入力によりＲＡＭ１３内に設定された受信時刻印字位置の自動変更が許可されているかを参照してもかまわない。
【００４４】
また、本実施形態においては、受信時刻印字領域を画像領域の外側に確保したら出力原稿が分割されそうかを画情報のメモリ使用量により判断したが、これに限定されるものではなく、例えば、画情報のライン数から判断してもかまわない。
【００４５】
図６は、本発明に係るファクシミリ装置の第３実施形態を示す図である。なお、本実施形態は、上述第２実施形態と略同様に構成されているので、同様な構成には同一の符号を付して特徴部分のみ説明する。
【００４６】
本実施形態の受信時刻印字位置自動変更許可スイッチ２２は、受信時刻印字位置設定スイッチ２１により受信時刻印字位置が画像領域の内側に指定してあっても、画情報が記録紙に対して十分に短い場合（画像領域の外側に受信時刻を印字する領域がある場合）は、自動的に受信時刻印字位置を画像領域の外側にすることを設定するものである。したがって、この受信時刻印字位置自動変更許可スイッチ２２は、受信時刻印字位置自動変更許可手段を構成する。
【００４７】
このファクシミリ装置１０のＣＰＵ１１は、上述した実施形態と同様に、画情報を受信・蓄積し、蓄積した画情報をプロッタ１９に記録出力する際、受信時刻を印字するように設定されている場合は、受信時刻印字位置設定スイッチ２１を参照して受信時刻印字位置を決定する。
【００４８】
受信時刻印字位置が画像領域の内側である場合、ＣＰＵ１１は、図６のフローチャートに示すように、まず復号した画情報のメモリ使用量から画情報は記録紙に対して十分短いか（画像領域の外側に受信時刻を印字する領域があるか）を判定し（例えば、予め設定したメモリ使用量を超えない場合には記録紙に対して十分短いと判断する。）（Ｓ３１）、記録紙に対して十分短くなければ受信時刻印字位置は内側とする。
【００４９】
画情報が記録紙に対して十分短い場合は、受信時刻印字位置自動変更許可スイッチ２２を参照し、受信時刻印字位置を変更することが許可されているかを判定し（Ｓ３２）、許可されていなければ受信時刻印字位置は内側とする。
【００５０】
受信時刻印字位置を変更することが許可されていれば、受信時刻印字位置を画像領域の外側に変更し（Ｓ３３）、受信時刻を画像領域の外側に印字する。
【００５１】
このように本実施形態においては、受信時刻印字位置自動変更許可スイッチ２２により受信時刻印字位置の自動変更が許可されるため、受信時刻印字位置を変更可能とする場合、画像に受信時刻が重ならないため、画情報の欠落を防ぐことができる。
【００５２】
なお、本実施形態においては、受信時刻印字位置自動変更許可スイッチ２２の設定を参照して受信時刻の印字位置を変更するかを決定したが、これに限定されるものではなく、例えば、操作表示部２０からの入力によりＲＡＭ１３内に設定された受信時刻印字位置の自動変更が許可されているかを参照してもかまわない。
【図面の簡単な説明】
【００５３】
【図１】本発明に係るファクシミリ装置の第１実施形態を示す図であり、その概略ブロック図である。
【図２】その受信時刻印字位置を説明する図である。
【図３】その受信時刻印字位置を決定する処理を説明するフローチャートである。
【図４】本発明に係るファクシミリ装置の第２実施形態を示す図であり、その概略ブロック図である。
【図５】その受信時刻印字位置を決定する処理を説明するフローチャートである。
【図６】本発明に係るファクシミリ装置の第３実施形態を示す図であり、その受信時刻印字位置を決定する処理を説明するフローチャートである。
【符号の説明】
【００５４】
１０  ファクシミリ装置
１１  ＣＰＵ（受信時刻印字手段）
１２  ＲＯＭ
１３  ＲＡＭ
１４  キャラクタジェネレータ
１５  通信制御部
１６  符号化復号化部
１７  画像メモリ
１８  スキャナ
１９  プロッタ
２０  操作表示部
２１  受信時刻印字位置設定スイッチ（受信時刻印字位置設定手段）
２２  受信時刻印字位置自動変更許可スイッチ（受信時刻印字位置自動変更許可手段）
３０  バス
４０  記録紙
【図１】
2006191691.tif 000003
【図２】
2006191691.tif 000004
【図３】
2006191691.tif 000005
【図４】
2006191691.tif 000006
【図５】
2006191691.tif 000007
【図６】
2006191691.tif 000008
【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
画情報を受信した時刻を出力原稿に印字する受信時刻印字手段と、
前記受信時刻印字手段により印字する受信時刻印字位置を、受信した画情報を印字する画像領域の外側あるいは内側に設定する設定手段と、
前記設定手段により受信時刻印字位置を画像領域の外側に設定されていても、前記受信した画情報のライン数に基づいて、前記受信した画情報の画像領域の内側に前記受信時刻印字手段により受信時刻を印字する第１の印字制御手段と、を有することを特徴とする通信装置。
【請求項２】
受信した画情報を蓄積する蓄積手段と、
画情報を受信した時刻を出力原稿に印字する受信時刻印字手段と、
前記受信時刻印字手段により印字する受信時刻印字位置を、受信した画情報を印字する画像領域の外側あるいは内側に設定する設定手段と、
前記設定手段により受信時刻印字位置を画像領域の外側に設定されていても、前記受信した画情報が前記蓄積手段を使用する量に基づいて、前記受信した画情報の画像領域の内側に前記受信時刻印字手段により受信時刻を印字する第２の印字制御手段と、を有することを特徴とする通信装置。
【手続補正２】
【補正対象書類名】明細書
【補正対象項目名】全文
【補正方法】変更
【補正の内容】
【発明の詳細な説明】
【技術分野】
【０００１】
本発明は、通信装置に関し、特に、画情報を受信した時刻を出力原稿に印字することが可能な通信装置に関する。
【背景技術】
【０００２】
従来から、画情報を受信した時刻を出力原稿に印字するファクシミリ装置が知られており、この種のファクシミリ装置としては、受信時刻を印字する位置は固定であり、その位置は大別して画情報を記録出力する領域（画像領域）の内側か外側になる。
【発明の開示】
【発明が解決しようとする課題】
【０００３】
しかしながら、このような従来のファクシミリ装置にあっては、受信時刻を印字する位置が固定であるため、印字位置が画像領域の内側の場合、画像に受信時刻が重なって印字され画情報が欠落してしまうという問題があった。また、印字位置が画像領域の外側の場合、画情報が記録紙１枚に収まる限界の長さであると出力原稿が分割されてしまうという問題があった。
【０００４】
そこで、本発明は、受信時刻印字位置を画像領域の外側にするか内側にするかを選択するスイッチを設けることにより、受信時刻印字位置を画像領域の外側か内側かをユーザが選択することを可能として、利便性の高い通信装置を提供することを目的とする。
【課題を解決するための手段】
【０００５】
上記目的達成のため、請求項１に記載の発明は、画情報を受信した時刻を出力原稿に印字する受信時刻印字手段と、前記受信時刻印字手段により印字する受信時刻印字位置を、受信した画情報を印字する画像領域の外側あるいは内側に設定する設定手段と、前記設定手段により受信時刻印字位置を画像領域の外側に設定されていても、前記受信した画情報のライン数に基づいて、前記受信した画情報の画像領域の内側に前記受信時刻印字手段により受信時刻を印字する第１の印字制御手段と、を有することを特徴とするものである。
【０００６】
請求項２に記載の発明は、受信した画情報を蓄積する蓄積手段と、画情報を受信した時刻を出力原稿に印字する受信時刻印字手段と、前記受信時刻印字手段により印字する受信時刻印字位置を、受信した画情報を印字する画像領域の外側あるいは内側に設定する設定手段と、前記設定手段により受信時刻印字位置を画像領域の外側に設定されていても、前記受信した画情報が前記蓄積手段を使用する量に基づいて、前記受信した画情報の画像領域の内側に前記受信時刻印字手段により受信時刻を印字する第２の印字制御手段と、を有することを特徴とするものである。
【発明の効果】
【０００７】
本発明によれば、受信時刻印字位置を画像領域の外側にするか内側にするかを選択するスイッチを設けることにより、受信時刻印字位置を画像領域の外側か内側かをユーザが選択することを可能として、利便性の高い通信装置を提供することができる。
【発明を実施するための最良の形態】
【０００８】
以下、本発明を図面に基づいて説明する。
【０００９】
図１〜図３は、本発明に係るファクシミリ装置の第１実施形態を示す図である。
【００１０】
図１において、ファクシミリ装置１０は、ＣＰＵ（Central Processing Unit）１１、ＲＯＭ（Read Only Memory）１２、ＲＡＭ（Random Access Memory）１３、キャラクタジェネレータ１４、通信制御部１５、符号化復号化部１６、画像メモリ１７、スキャナ１８、プロッタ１９、操作表示部２０、受信時刻印字位置設定スイッチ２１がバス３０を介して接続されている。
【００１１】
ＣＰＵ１１は、ＲＯＭ１２内に格納されているプログラムに従って、装置各部を制御してファクシミリ装置の所定の動作を実行するものである。
【００１２】
ＲＡＭ１３は、装置各部の駆動条件や管理データ等の各種情報を記憶するとともに動作する上で必要なデータを記憶するものである。
【００１３】
キャラクタジェネレータ１４は、キャラクタフォントを持って、キャラクタのデータから印字する画素を発生させるものである。
【００１４】
通信制御部１５は、ＰＳＴＮ（Public Switched Telephone Network）に接続され、回線の捕捉、送信先電話番号である選択信号の送出、着呼の検出などにより、所定の送信動作および受信動作を行なうものである。
【００１５】
符号化復号化部１６は、読み取った送信する画像データを符号化したり、受信した圧縮された画像データの復号化を行なうものである。
【００１６】
画像メモリ１７は、スキャナ１８により読み取られ符号化復号化部１６により圧縮された画像データや通信制御部１５により受信された圧縮状態の画像データを蓄積するものである。
【００１７】
スキャナ１８は、送信する原稿の画像を読み取って画像データに変換するものである。
【００１８】
プロッタ１９は、帯電部、現像部、定着部、感光体、給紙部などから構成され、画像データを用紙に記録出力するものである。
【００１９】
操作表示部２０は、装置の状態や、操作ガイダンスを表示するとともに、装置に対する各種操作を行なうものである。
【００２０】
受信時刻印字位置設定スイッチ２１は、後述する画情報を受信した時刻を出力原稿に印字する際、画像領域の外側に印字するか内側に印字するかを選択するものである。したがって、この受信時刻印字位置設定スイッチ２１は、設定手段を構成する。
【００２１】
このファクシミリ装置１０は、受信時刻を印字するように設定されている場合は、画情報を受信した時刻を出力原稿に印字するようになっており、その印字位置は、例えば図２に示すように、記録紙４０の画像が印字される領域（画像領域、図中矢印Ａの間の領域）の内側の領域Ｒ１に画像に重ねて（領域Ｒ１分の画情報を削除してそこに）印字することと、画像領域の外側の領域Ｒ２に印字することを選択できるようになっている。
【００２２】
具体的には、ＣＰＵ１１は、通信制御部１５により受信した画情報を一旦画像メモリ１７に蓄積するとともに、現在時刻をその画情報の受信時刻として画情報とともに蓄積する。
【００２３】
その後、ＣＰＵ１１は、プロッタ１９が記録出力可能な状態であれば、蓄積している画情報を符号化復号化部１６により復号し、受信時刻を印字するように設定されている場合は、図３のフローチャートに示すような処理により受信時刻の印字位置を決定する。
【００２４】
すなわち、受信時刻印字位置設定スイッチ２１を参照し（Ｓ１１）、スイッチの設定状態を判定する（Ｓ１２）、スイッチの設定が画像領域の内側であれば受信時刻印字位置を画像領域の内側とし（Ｓ１３）、画情報とともに蓄積している受信時刻をキャラクタジェネレータ１４により受信時刻のキャラクタデータに対応した画素情報に変換し、その画素データを復号した画情報の予め設定された領域（例えば図２の領域Ｒ１）の画情報に代えて挿入し、できた画情報をプロッタ１９により記録紙に記録出力する。
【００２５】
スイッチの設定が画像領域の外側であれば受信時刻印字位置を画像領域の外側とし（Ｓ１４）、画情報とともに蓄積している受信時刻をキャラクタジェネレータ１４により受信時刻のキャラクタデータに対応した画素情報に変換し、その画素データを復号した画情報の予め設定された領域（例えば図２の領域Ｒ２）に追加し、できた画情報をプロッタ１９により記録紙に記録出力する。
【００２６】
このような処理により、ＣＰＵ１１は受信時刻印字手段として機能する。
【００２７】
このように本実施形態においては、受信時刻印字位置設定スイッチ２１により受信時刻印字位置が選択されるため、画像領域の外側に受信時刻を印字すると設定した場合、画像に受信時刻が重ならないため、画情報の欠落を防ぐことができる。一方、画像領域の内側に受信時刻を印字すると設定した場合、画像の外側に受信時刻を印字する領域を確保する必要がないため、画情報が記録紙１枚に収まる限界の長さであっても、出力原稿が分割されることを防ぐことができる。
【００２８】
なお、本実施形態においては、受信時刻印字位置設定スイッチ２１の設定を参照して受信時刻の印字位置を決定したが、これに限定されるものではなく、例えば、操作表示部２０からの入力によりＲＡＭ１３内に設定された受信時刻印字位置を参照してもかまわない。
【００２９】
また、本実施形態においては、受信時刻印字位置を出力原稿の下側としたが、これに限定されるものではなく、例えば、出力原稿の上側としてもかまわない。
【００３０】
図４、図５は、本発明に係るファクシミリ装置の第２実施形態を示す図である。なお、本実施形態は、上述第１実施形態と略同様に構成されているので、同様な構成には同一の符号を付して特徴部分のみ説明する。
【００３１】
ファクシミリ装置１０は、受信時刻印字位置自動変更許可スイッチ２２を備え、この受信時刻印字位置自動変更許可スイッチ２２は、受信時刻印字位置設定スイッチ２１により受信時刻印字位置が画像領域の外側に指定してあっても、受信時刻を画情報の内側に印字すれば出力原稿を分割する必要が無くなる場合は、自動的に受信時刻印字位置を画像領域の内側にすることを設定するものである。
【００３２】
このファクシミリ装置１０のＣＰＵ１１は、上述した実施形態と同様に、画情報を受信・蓄積し、蓄積した画情報をプロッタ１９に記録出力する際、受信時刻を印字するように設定されている場合は、受信時刻印字位置設定スイッチ２１を参照して受信時刻印字位置を決定する。
【００３３】
受信時刻印字位置が画像領域の外側である場合、ＣＰＵ１１は、図５のフローチャートに示すように、まず復号した画情報のメモリ使用量から受信時刻印字領域を画像領域の外側に確保したら出力原稿が分割されそうかを判定し（例えば、予め設定したメモリ使用量を超えていたら出力原稿が分割されると判断する）（Ｓ２１）、分割出力にならなければ受信時刻印字位置は外側とする。
【００３４】
出力原稿が分割されそうな場合は、受信時刻印字位置自動変更許可スイッチ２２を参照し、受信時刻印字位置を変更することが許可されているかを判定し（Ｓ２２）、許可されていなければ受信時刻印字位置は外側とする。
【００３５】
受信時刻印字位置を変更することが許可されていれば、受信時刻印字位置を画像領域の内側に変更し（Ｓ２３）、受信時刻を画像領域の内側に印字する。
【００３６】
このように本実施形態においては、受信時刻印字位置自動変更許可スイッチ２２により受信時刻印字位置の自動変更が許可されるため、受信時刻印字位置を変更可能とする場合、画像領域の外側に、受信時刻印字位置を印字する領域を確保する必要が無いため、画情報が記録紙１枚に収まる限界の長さであっても、出力原稿が分割されることを防ぐことができる。一方、受信時刻印字位置を変更可能としない場合、画像に受信時刻が重ならないため、画情報の欠落を防ぐことができる。
【００３７】
なお、本実施形態においては、受信時刻印字位置自動変更許可スイッチ２２の設定を参照して受信時刻の印字位置を変更するかを決定したが、これに限定されるものではなく、例えば、操作表示部２０からの入力によりＲＡＭ１３内に設定された受信時刻印字位置の自動変更が許可されているかを参照してもかまわない。
【００３８】
また、本実施形態においては、受信時刻印字領域を画像領域の外側に確保したら出力原稿が分割されそうかを画情報のメモリ使用量により判断したが、これに限定されるものではなく、例えば、画情報のライン数から判断してもかまわない。
【００３９】
図６は、本発明に係るファクシミリ装置の第３実施形態を示す図である。なお、本実施形態は、上述第２実施形態と略同様に構成されているので、同様な構成には同一の符号を付して特徴部分のみ説明する。
【００４０】
本実施形態の受信時刻印字位置自動変更許可スイッチ２２は、受信時刻印字位置設定スイッチ２１により受信時刻印字位置が画像領域の内側に指定してあっても、画情報が記録紙に対して十分に短い場合（画像領域の外側に受信時刻を印字する領域がある場合）は、自動的に受信時刻印字位置を画像領域の外側にすることを設定するものである。
【００４１】
このファクシミリ装置１０のＣＰＵ１１は、上述した実施形態と同様に、画情報を受信・蓄積し、蓄積した画情報をプロッタ１９に記録出力する際、受信時刻を印字するように設定されている場合は、受信時刻印字位置設定スイッチ２１を参照して受信時刻印字位置を決定する。
【００４２】
受信時刻印字位置が画像領域の内側である場合、ＣＰＵ１１は、図６のフローチャートに示すように、まず復号した画情報のメモリ使用量から画情報は記録紙に対して十分短いか（画像領域の外側に受信時刻を印字する領域があるか）を判定し（例えば、予め設定したメモリ使用量を超えない場合には記録紙に対して十分短いと判断する。）（Ｓ３１）、記録紙に対して十分短くなければ受信時刻印字位置は内側とする。
【００４３】
画情報が記録紙に対して十分短い場合は、受信時刻印字位置自動変更許可スイッチ２２を参照し、受信時刻印字位置を変更することが許可されているかを判定し（Ｓ３２）、許可されていなければ受信時刻印字位置は内側とする。
【００４４】
受信時刻印字位置を変更することが許可されていれば、受信時刻印字位置を画像領域の外側に変更し（Ｓ３３）、受信時刻を画像領域の外側に印字する。
【００４５】
このように本実施形態においては、受信時刻印字位置自動変更許可スイッチ２２により受信時刻印字位置の自動変更が許可されるため、受信時刻印字位置を変更可能とする場合、画像に受信時刻が重ならないため、画情報の欠落を防ぐことができる。
【００４６】
なお、本実施形態においては、受信時刻印字位置自動変更許可スイッチ２２の設定を参照して受信時刻の印字位置を変更するかを決定したが、これに限定されるものではなく、例えば、操作表示部２０からの入力によりＲＡＭ１３内に設定された受信時刻印字位置の自動変更が許可されているかを参照してもかまわない。
【図面の簡単な説明】
【００４７】
【図１】本発明に係るファクシミリ装置の第１実施形態を示す図であり、その概略ブロック図である。
【図２】その受信時刻印字位置を説明する図である。
【図３】その受信時刻印字位置を決定する処理を説明するフローチャートである。
【図４】本発明に係るファクシミリ装置の第２実施形態を示す図であり、その概略ブロック図である。
【図５】その受信時刻印字位置を決定する処理を説明するフローチャートである。
【図６】本発明に係るファクシミリ装置の第３実施形態を示す図であり、その受信時刻印字位置を決定する処理を説明するフローチャートである。
【符号の説明】
【００４８】
１０  ファクシミリ装置
１１  ＣＰＵ（受信時刻印字手段）
１２  ＲＯＭ
１３  ＲＡＭ
１４  キャラクタジェネレータ
１５  通信制御部
１６  符号化復号化部
１７  画像メモリ
１８  スキャナ
１９  プロッタ
２０  操作表示部
２１  受信時刻印字位置設定スイッチ（設定手段）
２２  受信時刻印字位置自動変更許可スイッチ
３０  バス
４０  記録紙